(57)【要約】【課題】コストアップを抑制しつつ、入賞口に関する不正行為を精度良く検出することができる入賞口ユニットおよび弾球遊技機を提供すること。【解決手段】普通入賞口ユニット３０は、３つの普通入賞口２１〜２３を有する３連入賞口ユニットである。普通入賞口ユニット３０のユニット本体２９の一部を構成する前面板５１には、飾り役物６５と、各普通入賞口２１〜２３を区画するための３個の普通入賞口役物３１〜３３とが一列に並べられている。飾り部材６５内には磁気センサが収容保持されている。【選択図】図４
2012040305.tif 000002
【特許請求の範囲】
【請求項１】
遊技球が入球可能な入賞口を有し、弾球遊技機に適用される入賞口ユニットであって、
遊技盤の盤面に沿うように配設されるベース部材と、
前記ベース部材の前側に取り付けられ、前記入賞口を区画するための入賞口役物と、
前記ベース部材の前側に、着脱可能に取り付けられる飾り役物と、
前記ベース部材の後ろ側に取り付けられ、前記入賞口を通過した遊技球を流通させる後ろ部材とを含み、
前記弾球遊技機に対する不正を検出するための不正検出センサが、前記飾り役物内に収容保持されている、入賞口ユニット。
【請求項２】
前記ベース部材における前記飾り役物の取り付け位置は、その飾り役物に代えて前記入賞口役物を取り付け可能に設けられている、請求項１記載の入賞口ユニット。
【請求項３】
前記入賞口は複数個配設されており、
前記入賞口役物は、所定の基準線に沿う一列状に配設されたものであり、
前記飾り役物は、前記基準線に沿って配設されている、請求項１または２記載の入賞口ユニット。
【請求項４】
前記不正検出センサは、直方体状をなす本体を有する磁気センサであり、当該本体の長手方向が前記基準線に沿うような姿勢で、前記飾り役物内に収容保持されている、請求項３記載の入賞口ユニット。
【請求項５】
前記請求項１〜４のいずれか一項に記載された前記入賞口ユニットが配設された遊技盤と、
前記遊技盤に向けて遊技球を発射する発射装置とを含む弾球遊技機。
【発明の詳細な説明】
【技術分野】
【０００１】
本発明は、複数の入賞口を有する入賞口ユニットおよびこれを備えた弾球遊技機に関する。
【背景技術】
【０００２】
パチンコ機等の弾球遊技機では、遊技盤に向けて発射された遊技球を、その盤面に沿って流下させることにより遊技を行う。従来から、複数の入賞口をユニット化した入賞口ユニットが知られている（たとえば特許文献１参照）。入賞口ユニットは、遊技盤の遊技領域のうち遊技釘が植設されない部分に装着される。
【先行技術文献】
【特許文献】
【０００３】
【特許文献１】特開２０１０−６３７３９号公報
【発明の概要】
【発明が解決しようとする課題】
【０００４】
入賞口ユニットは、前部材と、前部材の後面に取り付けられる後ろ部材とを備えている。入賞口を通過した遊技球を検出するための検出センサは、後ろ部材に支持される。
近年、いわゆる大玉ゴトという新たな不正（ゴト）行為が知られている。このゴト行為は、通常の遊技球より一回り大きな鉄（強磁性体）製の不正用球（ベアリングの球）を、遊技盤の入賞口に入賞させてその入賞口に対応する入球検出センサに故意に詰まらせ、その不正用球に電磁波を不正に照射して、入球検出センサを誤動作させるものである。入賞口への不正用球の誘導は、ガラス扉の前から磁石を用いて行われる。
【０００５】
入賞口ユニットの各入賞口に対して、かかるゴト行為が行われることを防止するため、不正検出センサとしての磁気センサを入賞口ユニットに搭載することが考えられる。
この場合、遊技者から見える前部材の前面に磁気センサを配設することはできず、そのため、磁気センサを後ろ部材に配設することが考えられる。しかしながら、磁気センサを後ろ部材に配設するには、後ろ部材を、不正検出センサを保持することができる専用の部材とする必要がある。そのため、磁気センサを有する入賞口ユニットと、磁気センサを有しない入賞口ユニットとの間で後ろ部材を共通化することができず、入賞口ユニットがコストアップするおそれがある。
【０００６】
そこで、本発明の目的は、コストアップを抑制しつつ、入賞口に関する不正行為を精度良く検出することができる入賞口ユニットおよび弾球遊技機を提供することである。
【課題を解決するための手段】
【０００７】
前記の課題を解決するため、請求項１記載の発明は、遊技球が入球可能な入賞口（２１〜２３）を有し、弾球遊技機（１）に適用される入賞口ユニット（３０）であって、遊技盤の盤面に沿うように配設されるベース部材（５１）と、前記ベース部材の前側に取り付けられ、前記入賞口を区画するための入賞口役物（３１〜３３）と、前記ベース部材の前側に、着脱可能に取り付けられる飾り役物（６５）と、前記ベース部材の後ろ側に取り付けられ、前記入賞口を通過した遊技球を流通させる後ろ部材（８０）とを含み、前記弾球遊技機に対する不正を検出するための不正検出センサ（６７）が、前記飾り役物内に収容保持されている、入賞口ユニットである。
【０００８】
なお、括弧内の数字は、後述の実施形態における対応構成要素等を表すが、特許請求の範囲を実施形態に限定する趣旨ではない。以下、この項において同じ。
この構成によれば、不正検出センサが飾り役物内に収容保持される。そのため、不正検出センサを、遊技者から視認できずかつ入賞口に近い位置に配置することができる。これにより、入賞口に関して行われる不正行為を精度良く検出することができる。
【０００９】
また、不正検出センサが後ろ部材に配設されていないので、不正検出センサが搭載された入賞口ユニットと、不正検出センサが非搭載の入賞口ユニットとの間で、後ろ部材を共通化することが可能である。これにより、コストアップを抑制することができる。
請求項２に記載のように、前記ベース部材における前記飾り役物の取り付け位置は、その飾り役物に代えて前記入賞口役物を取り付け可能に設けられていてもよい。この構成によれば、ベース部材の前側に飾り役物を取り付けることもできるし、飾り役物に代えてベース部材に入賞口役物を取り付けることもできる。そのため、不正検出センサが搭載された入賞口ユニットと、不正検出センサが非搭載の入賞口ユニットとの間で、ベース部材を共通化することが可能である。これにより、コストアップをより一層抑制することができる。
【００１０】
請求項３に記載のように、前記入賞口は複数個配設されており、前記入賞口役物は、所定の基準線（Ｌ）に沿う一列状に配設されたものであり、前記飾り役物は、前記基準線に沿って配設されていてもよい。この構成によれば、複数の入賞口役物および飾り役物が基準線に沿って配列されている。
この場合、請求項４に記載のように、前記不正検出センサは、直方体状をなす本体を有する磁気センサ（６７）であり、当該本体の長手方向が前記基準線に沿うような姿勢で、前記飾り役物内に収容保持されていることが好ましい。
【００１１】
この構成によれば、不正検出センサとして磁気センサを用いる。これにより、鉄（強磁性体）からなる遊技球（または不正用遊技球）を磁石を用いて入賞口に誘導するような不正行為を精度良く検出することができる。
また、磁気センサの長手方向が、複数の入賞口および飾り役物の配列方向と一致している。磁気センサは、本体の長手方向に対する検出範囲が良好である。そのため、各入賞口に関する不正行為を、より一層精度良く検出することができる。
【００１２】
磁気センサの他に、電波センサや振動センサを不正検出センサとして用いることもできる。
前記の課題を解決するため、請求項５記載の発明は、前記請求項１〜４のいずれか一項に記載された前記入賞口ユニット（３０）が配設された遊技盤（５）と、前記遊技盤に向けて遊技球を発射する発射装置とを含む弾球遊技機（１）である。
【００１３】
この構成によれば、請求項１〜４の発明に関連して説明した作用効果と同等の作用効果を奏する。
【図面の簡単な説明】
【００１４】
【図１】本発明の一実施形態に係る弾球遊技機の斜視図である。
【図２】図１に示す遊技盤の正面図である。
【図３】図１に示す遊技盤の背面図である。
【図４】図２および図３に示す普通入賞口ユニットの構成を示す斜視図である。
【図５】図２および図３に示す普通入賞口ユニットの構成を示す背面図である。
【図６】図４に示す第１普通入賞口役物の構成を示す斜視図である。
【図７】図４に示す飾り役物に含まれる磁気センサの構成を示す図である。
【図８】図４に示す飾り役物の構成を示す斜視図である。
【図９】図４に示す飾り役物の要部断面図である。
【図１０】図４に示す飾り役物の構成を示す斜視図である。
【図１１】図７に示す磁気センサの検出範囲を示す図である。
【図１２】図１に示す弾球遊技機の電気的構成を示すブロック図である。
【発明を実施するための形態】
【００１５】
以下では、この発明の実施の形態を、添付図面を参照して詳細に説明する。
図１は、本発明の一実施形態に係る弾球遊技機１の斜視図である。この弾球遊技機１は、遊技店内に配列された遊技島への取付け（設置）のための略四角枠状の外枠２と、この外枠２に対し片開き可能に取り付けられた内枠３とを備えている。外枠２の左右一方、たとえば左側のヒンジ４によって、内枠３はヒンジ４の回動軸まわりに回動可能に保持されている。
【００１６】
内枠３の上部分には、遊技盤５（図２参照）が収容保持されている。内枠３の下部分には、発射手段（図示しない）が収容保持されている。内枠３の手前側には、前扉６が開閉可能に設けられている。また、内枠３の手前側には、前扉６の下方に、下部開閉板７が開閉可能に設けられている。前扉６には、遊技盤５に対向する位置に略円形の開口８が形成されている。この開口８には、ガラス板などの透明板９が嵌められていて、前扉６を閉じた状態で、その透明板９を介して、透明板９の奥側の遊技盤５（図２参照）を視認することができるようになっている。前扉６の上部には、左右一対のスピーカ２８が配設されている。また、前扉６の下部には、左右一対のランプユニット２７が配設されている。
【００１７】
下部開閉板７には、遊技に使用する鉄（強磁性体）製の遊技球（パチンコ球）を貯留しておくための上皿１０と、上皿１０からオーバーフロー路（図示しない）を通して溢れた遊技球を受け止める下皿１２とが上下に並んで設けられている。また、下皿１２の右側には、遊技球を遊技盤５に打ち出す際に操作されるハンドル１３が配設されている。遊技者が、ハンドル１３を把持して回転操作することにより、発射装置から遊技盤５に向けて遊技球を発射することができ、また、ハンドル１３の回転角度を調整することにより、遊技盤５に向けて発射される遊技球の勢いを調節することができる。
【００１８】
図２は、遊技盤５の正面図である。図３は、遊技盤５の背面図である。遊技盤５の盤面には、中央部に略円形の遊技領域Ｓが設定されており、この遊技領域Ｓの周縁には、発射装置から発射された遊技球を、遊技盤５の上方（左側上部）に導くための略円弧状のガイドレール１４が配設されている。また、ガイドレール１４に対向して、内レール１１が配置されている。内レール１１の先端は遊技領域Ｓの上部まで延びていて、発射装置により発射された遊技球は、内レール１１とガイドレール１４との間を通って遊技領域Ｓの上部へと導かれる。
【００１９】
遊技領域Ｓには、多数本の障害釘（図示しない）が配設されており、遊技盤５の左側上部からガイドレール１４および内レール１１に沿って右斜め上方に向けて放たれた遊技球は、遊技盤５の盤面に沿って多数本の障害釘の間を通って流下していく。
遊技領域Ｓの中央部には液晶表示ユニット１５が配設されている。液晶表示ユニット１５は、弾球遊技機１の遊技中に、演出図柄を変動表示するためのものである。液晶表示ユニット１５の周囲は、フレーム（図示しない）によって取り囲まれている。このフレームの前面には、日本刀などをモチーフとした装飾部材１６が取り付けられている。
【００２０】
遊技領域Ｓの下部には、第１特図始動口１７および第２特図始動口１８が上下に並べて配設されている。第１特図始動口１７および第２特図始動口１８は、それぞれ、遊技盤５の盤面に沿って流下する遊技球を入球可能に設けられている。第２特図始動口１８に関連して、１対の羽根を有し、第２特図始動口１８を開閉するための電動チューリップ役物１９が配設されている。
【００２１】
第１特図始動口１７または第２特図始動口１８に遊技球が入ると、予め定める個数（たとえば、第１特図始動口１７への遊技球入球に対しては３球、および第２特図始動口１８への遊技球入球に対しては５球）の賞球が、賞球払出装置（図示しない）から払い出される。また、第１特図始動口１７または第２特図始動口１８への遊技球の入球に伴って、次に述べる大入賞口開閉役物２０が大入賞口２４の開閉動作を複数回行う大当たり遊技を実行するか否かを決定するための大当たり抽選が実行される。
【００２２】
第２特図始動口１８の下方には、たとえば、左右に長い長方形状をなす大入賞口２４が配設されている。大入賞口２４に関連して、大入賞口２４を開閉するための大入賞口開閉役物２０が設けられている。大入賞口開閉役物２０は、遊技盤５の盤面に沿った状態で大入賞口２４を閉塞して、大入賞口２４に遊技球が入るのを阻止することができる一方、この状態から大入賞口２４の下端縁に沿って配置された回動軸（図示しない）を中心に手前側に傾倒することにより、大入賞口２４を開放して、大入賞口２４上に流下してくる遊技球を大入賞口２４内に導き入れることができる。大入賞口２４に遊技球が入球すると、予め定める個数（たとえば１０球）の賞球が、賞球払出装置（図示しない）から払い出される。
【００２３】
遊技領域Ｓの左部（液晶表示ユニット１５の左方）には、遊技盤５の盤面に沿って流下する遊技球が通過可能な普図ゲート２５が配設されている。普図ゲート２５を遊技球が通過すると、電動チューリップ役物１９を開状態にするか否かを決定するための普通図柄抽選が実行される。
また、遊技盤５の左下部には、第１普通入賞口（入賞口）２１、第２普通入賞口（入賞口）２２および第３普通入賞口（入賞口）２３が、左上がりの斜め一列に整列して設けられている。各普通入賞口２１，２２，２３に遊技球が入ると、予め定める個数（たとえば３球）の賞球が、賞球払出装置（図示しない）から払い出される。これら３つの普通入賞口２１，２２，２３はユニット化されている。言い換えれば、遊技盤５には、普通入賞口２１，２２，２３という３連入賞口を有する普通入賞口ユニット（入賞口ユニット）３０が配設されている。遊技盤５の盤面に沿って流下する遊技球のうち、第１特図始動口１７、第２特図始動口１８、大入賞口２４、第１普通入賞口２１、第２普通入賞口２２または第３普通入賞口２３のいずれにも入球しなかった遊技球（アウト球）は、遊技領域Ｓの下部に形成されたアウト口２６から機内に入り、後述する球回収部（図示しない）に回収される。
【００２４】
普通入賞口ユニット３０は、遊技領域Ｓにおける大入賞口２４の左側で内レール１１の内側に沿って配設されている。この普通入賞口ユニット３０は、内レール１１の内側に沿って形成された普通入賞口ユニット装着孔（図示しない）に前側から着脱可能に嵌合されており、ねじ止め等により遊技盤５に固定されている。また、図３に示すように、普通入賞口ユニット３０の後面は遊技盤５の後ろ側に露出している。なお、図３では、遊技盤５から、内レール１１、ガイドレール１４、液晶表示ユニット１５、装飾部材１６、第１特図始動口１７の役物、第２特図始動口１８の役物（電動チューリップ役物１９を含む）、大入賞口２４の役物（大入賞口開閉役物２０を含む）、普図ゲート２５の役物などを取り除き、普通入賞口ユニット３０のみが遊技盤５に装着された状態を示している。
【００２５】
図４は、普通入賞口ユニット３０の構成を示す斜視図である。図５は、普通入賞口ユニット３０の構成を示す背面図である。普通入賞口ユニット３０は、略円弧状に延びるユニット本体２９と、ユニット本体２９の前面側に取り付けられた３個の普通入賞口役物（入賞口役物）３１，３２，３３とを備えている。この普通入賞口ユニット３０は、普通入賞口としての機能とサイドランプとしての機能とを併せ持っている。
【００２６】
ユニット本体２９は、前ケース体（前部材）５０と後ろケース体（後ろ部材）８０とを互いに前後に組み付けて構成されている。前ケース体５０は、普通入賞口ユニット装着孔（図示しない）を塞ぐように遊技盤５の盤面に沿って配置される前面板（ベース部材）５１と、前面板５１の周縁のやや内寄り位置から後方に向けて突出する外周壁５２とを一体に備えている。普通入賞口ユニット３０を普通入賞口ユニット装着孔（図示しない）に嵌合させる際には、普通入賞口ユニット装着孔の内周壁に外周壁５２が摺接する。普通入賞口ユニット３０を遊技盤５に装着した状態では、遊技盤５の前面と前面板５１の前面とが同一平面に含まれている。
【００２７】
前面板５１には、第１流入孔５６、第２流入孔５７、第３流入孔５８および第４流入孔５９が形成されている。第１〜第４流入孔５６，５７，５８，５９は、所定の略円弧状の基準線Ｌに沿って、一列状にほぼ等間隔に設けられている。第１〜第４流入孔５６，５７，５８，５９は、下から左上に向けてこの順で形成されている。各流入孔５６，５７，５８，５９は、遊技球の直径よりもやや大きな略円形をなし、前面板５１を前後方向に貫通している。
【００２８】
前ケース体５０内には、多数のランプ（図示しない。たとえばＬＥＤなど）が実装されたランプ基板（図示しない）が収容されている。前面板５１は、その一部に、ランプ基板のランプからの光を散乱させる発光レンズ部５３を有している。
第１流入孔５６に関連して、前面板５１から後方に向けて突出する樋状の第１後方案内通路６１が設けられている。第１後方案内通路６１は、第１流入孔５６に流入した遊技球を後ろ向きに案内する。第２流入孔５７に関連して、前面板５１から後方に向けて突出する樋状の第２後方案内通路６２が設けられている。第２後方案内通路６２は、第２流入孔５７に流入した遊技球を後ろ向きに案内する。
【００２９】
第３流入孔５８に関連して、前面板５１から後方に向けて突出する樋状の第３後方案内通路６３が設けられている。第３後方案内通路６３は、第３流入孔５８に流入した遊技球を後ろ向きに案内する。第４流入孔５９に関連して、前面板５１から後方に向けて突出する樋状の第４後方案内通路６４が設けられている。第４後方案内通路６４は、第４流入孔５９に流入した遊技球を後ろ向きに案内する。各後方案内通路６１，６２，６３，６４は、外周壁５２に連続して、当該外周壁５２と一体的に形成されている。
【００３０】
第１流入孔５６に関連して、第１流入孔５６の前側を覆うように第１普通入賞口役物３１が配設されている。第１普通入賞口役物３１と前面板５１の前面とによって第１普通入賞口２１が区画されている。第１普通入賞口役物３１は、第１普通入賞口２１に入球した遊技球を後ろ向きに案内し、第１流入孔５６に流入させるようになっている。
第２流入孔５７に関連して、第２流入孔５７の前側を覆うように第２普通入賞口役物３２が配設されている。第２普通入賞口役物３２と前面板５１の前面とによって第２普通入賞口２２が区画されている。第２普通入賞口役物３２は、第２普通入賞口２２に入球した遊技球を後ろ向きに案内し、第２流入孔５７に流入させるようになっている。
【００３１】
第３流入孔５８に関連して、第３流入孔５８の前側を覆うように第３普通入賞口役物３３が配設されている。第３普通入賞口役物３３と前面板５１の前面とによって第３普通入賞口２３が区画されている。第３普通入賞口役物３３は、第３普通入賞口２３に入球した遊技球を後ろ向きに案内し、第３流入孔５８に流入させるようになっている。各普通入賞口役物３１〜３３は、ねじ止めにより前ケース体５０に固定されている。言い換えれば、各普通入賞口役物３１〜３３は、前ケース体５０に対し着脱可能に取り付けられている。
【００３２】
第４流入孔５９に関連して、前面板５１の前面側には、装飾のための円筒役物である飾り役物６５が第４流入孔５９を閉塞するように取り付けられている。飾り役物６５は、ねじ止めにより前ケース体５０に固定されている。言い換えれば、飾り役物６５は前ケース体５０に対し着脱可能に取り付けられている。
第１〜第４流入孔５６，５７，５８，５９が基準線Ｌに沿って一列状にほぼ等間隔に配置されているので、第１〜第３普通入賞口役物３１〜３３（言い換えれば第１〜第３普通入賞口２１〜２３）および飾り役物６５も基準線Ｌに沿って（基準線Ｌ上に）一列状にほぼ等間隔に配設されている。第１〜第３普通入賞口役物３１〜３３（言い換えれば第１〜第３普通入賞口２１〜２３）および飾り役物６５は等間隔に配置されている。飾り役物６５内には、不正検出センサとしての磁気センサ６７（図７参照）が収容されている。
【００３３】
また、前面板５１の前側には、第４流入孔５９の左上方に、遊技領域Ｓの内側に向けて遊技球を案内する案内板６８が配設されている。案内板６８は、内レール１１に沿う前面板５１の外周縁側から内周縁側に向かうに従って下がる傾斜面をなしている。
また、前面板５１の前側には、前装飾カバー６９が取り付けられている。前装飾カバー６９は、普通入賞口役物３１〜３３および飾り役物６５と、内レール１１との間の空間を、前側から遊技球通過可能に覆うもので、たとえば案内板６８の下側で内レール１１の内面に沿って配置される底壁（図示しない）と、この底壁の前縁側から遊技領域Ｓの内側に向けて、遊技盤５の盤面に沿って延設される前壁７０とを一体に備えている。前装飾カバー６９は、普通入賞口役物３１〜３３および飾り役物６５の前面とほぼ同一平面状に配置されており、前面板５１にねじ止め等により固定されている。
【００３４】
後ろケース体８０は、前ケース体５０の後方を略塞ぐ部材であり、ねじ止め等により前ケース体５０に固定されている。後ろケース体８０は、後面板８１と、４つの流下通路区画部材１０１，１０２，１０３，１０４と、後面板８１の後面側に設けられ、入賞検出スイッチ３６，３７，３８保持可能な４つのスイッチ装着部４１，４２，４３，４４とを一体的に備えている。なお、普通入賞口ユニット３０を遊技盤５に装着した状態では、後面板８１の後面が遊技盤５の後面と同一平面に含まれている。
【００３５】
後面板８１には、流入孔５６，５７，５８，５９に整合する位置に、それぞれ第１流出孔９６、第２流出孔９７、第３流出孔９８および第４流出孔９９が形成されている。また、後面板８１の後方には、各流出孔９６，９７，９８，９９の後方を覆う流下通路８６，８７，８８，８９を区画するための流下通路区画部材１０１，１０２，１０３，１０４が配設されている。具体的には、第１流出孔９６の後方には、第１流下通路区画部材１０１が配設されている。第１流下通路区画部材１０１は、上下に延びる第１流下通路８６を区画している。第１流下通路８６は、第１流入孔５６および第１流出孔９６を介して第１普通入賞口２１と連通している。
【００３６】
第２流出孔９７の後方には、第２流下通路区画部材１０２が配設されている。第２流下通路区画部材１０２は、上下に延びる第２流下通路８７を区画している。第２流下通路８７は、第２流入孔５７および第２流出孔９７を介して第２普通入賞口２２と連通している。
第３流出孔９８の後方には、第３流下通路区画部材１０３が配設されている。第３流下通路区画部材１０３は、上下に延びる第３流下通路８８を区画している。第３流下通路８８は、第３流入孔５８および第３流出孔９８を介して第３普通入賞口２３と連通している。
【００３７】
第４流出孔９９の後方には、第４流下通路区画部材１０４が配設されている。第４流下通路８９は第４流入孔５９および第４流出孔９９に連通している。第４流下通路区画部材１０４は、上下に延びる第４流下通路８９を区画している。各流下通路区画部材１０１，１０２，１０３，１０４の下端は開放されている。
第１流下通路区画部材１０１の下端部には、第１入賞検出スイッチ３６を装着するための第１スイッチ装着部４１が設けられている。第２流下通路区画部材１０２の途中部には、第２入賞検出スイッチ３７を装着するための第２スイッチ装着部４２が設けられている。第３流下通路区画部材１０３の途中部には、第３入賞検出スイッチ３８を装着するための第３スイッチ装着部４３が設けられている。また、第４流下通路区画部材１０４の途中部には第４スイッチ装着部４４が設けられている。この第４スイッチ装着部４４は、第１〜第３入賞検出スイッチ３６〜３８と同形状・同サイズの入賞検出スイッチを装着することが可能な構成とされている。
【００３８】
各スイッチ装着部４１，４２，４３，４４は、入賞検出スイッチ３６〜３８が装着されていない状態では流下通路８６，８７，８８，８９の一部を構成し、流下通路８６，８７，８８，８９に沿って流下する遊技球の通過を許容するようになっている。
弾球遊技機１における遊技盤５の下方、すなわち第１〜第４流下通路区画部材１０１，１０２，１０３，１０４の下方には、球回収部（図示しない）が配設されている。
【００３９】
第１普通入賞口２１に入賞した遊技球は、第１流入孔５６および第１流出孔９６を通って第１流下通路８６に達し、第１流下通路８６を流下する。そして、第１入賞検出スイッチ３６によって検出された後、球回収部に回収される。また、第２普通入賞口２２に入賞した遊技球は、第２流入孔５７および第２流出孔９７を通って第２流下通路８７に達し、第２流下通路８７を流下する。そして、第２入賞検出スイッチ３７によって検出された後、球回収部に回収される。第３普通入賞口２３に入賞した遊技球は、第３流入孔５８および第３流出孔９８を通って第３流下通路８８に達し、第３流下通路８８を流下する。そして、第３入賞検出スイッチ３８によって検出された後、球回収部に回収される。
【００４０】
また、第４流入孔５９は飾り役物６５により閉塞されているので、第４流入孔５９に遊技球が流入することはない。しかしながら、仮に、第４スイッチ装着部４４に入賞検出スイッチ３６〜３８と同等の入賞検出スイッチを装着しかつ第４流入孔５９が開放されているとすると、この第４流入孔５９に流入した遊技球は第４流出孔９９を通って第４流下通路８９に達し、第４流下通路８９を流下する。そして、第４スイッチ装着部４４に装着された入賞検出スイッチによって検出された後、球回収部に回収されるようになる。
【００４１】
図６は、第１普通入賞口役物３１の構成を示す斜視図である。第１普通入賞口役物３１は、平面視略Ｕ字状をなし、第１流入孔５６の両側方および下方を取り囲む受部材１１１と、受部材１１１の前端面を覆う円形の前板１１２とを一体的に備えている。前板１１２の前面は、装飾のための装飾板によって構成されている。受部材１１１は、第１流入孔５６の左側および右側でそれぞれ上下方向に延びる左部分１１３および右部分１１４と、左部分１１３の下端部と右部分１１４の下端部とを連結する下に凸の円弧状の円弧部１１５とを備えている。円弧部１１５の内周面には、第１普通入賞口２１に入球した遊技球を、第１流入孔５６に向けて案内するためのリブ１１０が形成されている。
【００４２】
受部材１１１の後端面には、左部分１１３および右部分１１４の上端部に、それぞれ後方に突出する一対の位置決め突起１１６，１１７が形成されている。左部分１１３および右部分１１４の上下方向の途中部には、それぞれ、前面板５１にねじ止めするためのねじ締結部１１８，１１９が設けられている。各ねじ締結部１１８，１１９の後端面には、ねじ孔１２０，１２１が形成されている。
【００４３】
前面板５１における第１流入孔５６の周囲には、第１流入孔５６の上端部付近に一対の位置決め用孔１２２，１２３が形成されている。また、前面板５１における第１流入孔５６の周囲には、位置決め用孔１２２，１２３よりもやや下方位置に、第１普通入賞口役物３１を前面板５１にねじ固定するためのねじ１２４，１２５が挿通するための一対のねじ挿通孔１２６，１２７が形成されている。対応する位置決め用孔１２２，１２３に各位置決め突起１１６，１１７を嵌め込んで、第１普通入賞口役物３１を前面板５１に位置決めした後、各ねじ１２４，１２５がねじ挿通孔１２６，１２７を通してねじ孔１２０，１２１にねじ締結される。これにより、第１普通入賞口役物３１が前面板５１に固定される。
【００４４】
３つの普通入賞口役物３１，３２，３３の形状、寸法および材質ならびに前面板５１への固定構造は互いに共通している。そのため、第２普通入賞口役物３２および第３普通入賞口役物３３に関する詳細な説明を省略する。
図７は、飾り役物６５内に収容される磁気センサ６７の構成を示す図である。磁気センサ６７は略直方体状をなす本体１３０を有し、本体１３０には、コネクタを介して複数本のハーネス（図示しない）が接続されている。これらのハーネスには、磁気センサ６７に給電するための給電用ハーネスや、磁気センサ６７からの出力を送り出す信号線が含まれている。この磁気センサ６７は、所定の磁界を検出すると、検出信号を出力するようになっている。この磁気センサ６７には、スイッチング出力タイプの磁気センサを採用することができ、より具体的には、たとえばアルプス電気株式会社製のＨＧＤＦＰＡシリーズを採用することができる。
【００４５】
以下、本体１３０の底面１３１の長辺に沿う方向の一方をＸ方向とし、本体１３０の底面１３１の短辺に沿う方向の一方をＹ方向とし、かつ本体１３０の底面１３１に直交する方向（厚み方向）の一方をＺ方向として説明する。長辺の長さをｃ、短辺の長さをｄ、かつ厚みをｅとすると、ｃ＞ｄ＞ｅである。
図８は、飾り役物６５の構成を示す後方からの斜視図である。図９は、飾り役物６５の要部断面図である。図８および図９では、飾り役物６５内に磁気センサ６７を収容した状態を示している。また、図１０は、飾り役物６５の構成を示す前方からの斜視図である。
【００４６】
飾り部材６５は、第４流出孔９９の周囲を取り囲む円筒部１４１と、円筒部１４１の前面を覆う円形の前板１４２とを一体的に備え、樹脂材料を用いて形成されている。円筒部１４１の上端部には、略水平面からなる平坦面が形成されている。前板１４２の前面には、装飾のための装飾板１４０（図１０では図示しない）が取り付けられている。
飾り役物６５内には、磁気センサ６７を支持する磁気センサ支持部１４３を備えている。磁気センサ支持部１４３は、飾り役物６５内の所定の収容位置１４４に収容された磁気センサ６７を抜け止めるための一対の抜け止め片１４５を有する。各抜け止め片１４５は、樹脂材料を用いて形成された前板１４２に一体的に形成されており、そのため、弾性変形可能に設けられている。各抜け止め片１４５は、前板１４２の後面から前板１４２と一体的に後方に向けて立ち上がる抜け止め片本体１４６と、抜け止め片本体１４６の先端部に配設され、収容位置１４４に収容された磁気センサ６７の一面と係合する係合突起１４７とを備えている。
【００４７】
２つの抜け止め片１４５は、当該磁気センサ６７の本体１３０の厚み方向（Ｚ方向）に沿う互いに相反する２方向から磁気センサ６７を挟み込んでいる。各係合突起１４７は、磁気センサ６７（本体１３０）の底面１３１の長辺（Ｘ方向に延びる辺）と厚み方向に延びる辺とで区画される端面に当接している。磁気センサ６７を収容位置１４４から離脱させるためには、２つの抜け止め片１４５をそれぞれ互いに相反する２方向（Ｚ方向に沿う互いに相反する２方向）に弾性変形させる必要がある。そのため、磁気センサ６７の抜け止めが強固に達成される。飾り役物６５の前面板５１への取り付け状態では、磁気センサ６７（本体１３０）の底面１３１の長手方向（Ｘ方向）が、複数の普通入賞口２１〜２３および飾り役物６５の配列方向（基準線Ｌに沿う方向）と一致している。
【００４８】
また、前板１４２の後面から左右一対の円柱状の位置決め突起１４８，１４９が後方に向けて立ち上がっている。
円筒部１４１の内周面側には、位置決め突起１４８，１４９よりも下方位置に、前面板５１にねじ止めするための左右一対のねじ締結部１５０，１５１が設けられている。各ねじ締結部１５０，１５１の後端面は、円筒部１４１の後端面と同一の平面上に形成されている。各ねじ締結部１５０，１５１の後端面には、ねじ孔１５２，１５３が形成されている。
【００４９】
前面板５１の前面における第４流入孔５９の周囲（ベース部材における飾り役物の取り付け位置）には、当該第４流入孔５９の上端部付近に一対の位置決め用孔１５４，１５５が形成されている。また、前面板５１における第４流入孔５９の周囲には、位置決め用孔１５４，１５５よりもやや下方位置に、飾り役物６５を前面板５１にねじ固定するためのねじ１５６，１５７がそれぞれ挿通するための一対のねじ挿通孔１５８，１５９が形成されている。対応する位置決め用孔１５４，１５５に各位置決め突起１４８，１４９を嵌め込んで、飾り役物６５を前面板５１に位置決めした後、各ねじ１５６，１５７がねじ挿通孔１５８，１５９を通してねじ孔１５２，１５３にねじ締結される。これにより、飾り役物６５が前面板５１に固定される。
【００５０】
第１普通入賞口役物３１（各普通入賞口役物３１〜３３）と飾り役物６５と間で前面板５１の固定のための構成は互いに共通している。具体的には、第１普通入賞口役物３１のねじ孔１２０，１２１（図６参照）および位置決め突起１１６，１１７（図６参照）の互いの位置関係が、飾り役物６５のねじ孔１５２，１５３および位置決め突起１４８，１４９の互いの位置関係と共通している。また、第１普通入賞口役物３１のねじ孔１２０，１２１の内径が飾り役物６５のねじ孔１５２，１５３の内径と同寸法であり、第１普通入賞口役物３１の位置決め突起１１６，１１７の外径が、飾り役物６５の位置決め突起１４８，１４９の先端部の外径と同寸法である。また、第１普通入賞口役物３１の位置決め突起１１６，１１７の突出量（第１普通入賞口役物３１の後端面からの突出量）が、飾り役物６５における位置決め突起１４８，１４９の飾り役物６５の後端面からの突出量と同じ程度である。したがって、対応する位置決め用孔１５４，１５５に各位置決め突起１１６，１１７を嵌め込んで、第１普通入賞口役物３１を前面板５１に位置決めした後、各ねじ１５６，１５７を、ねじ挿通孔１５８，１５９を通してねじ孔１２０，１２１にねじ締結されることにより、前面板５１の前面における第４流入孔５９の周囲部分に関し、飾り役物６５に代えて第１普通入賞口役物３１（各普通入賞口役物３１〜３３）を配設することができる。
【００５１】
したがって、飾り役物６５に代えて第１普通入賞口役物３１（各普通入賞口役物３１〜３３）を前面板５１の前面に配設するとともに、第４スイッチ装着部４４に、入賞検出スイッチ３６〜３８と同等の入賞検出スイッチを装着すれば、入賞口ユニット３０を、４連入賞口を有する入賞口ユニットとして取り扱うことができる。すなわち、３連入賞口を有する入賞口ユニット３０を、４連入賞口を有する入賞口ユニットに変えることができる。
【００５２】
図１１は、磁気センサ６７の検出範囲を示す図である。図１１（ａ）は、本体１３０のＸ方向に沿う方向の検出距離（検知距離）の平均値の一例を示す図である。図１１（ｂ）は、本体１３０のＹ方向に沿う方向の検出距離（検知距離）の平均値の一例を示す図である。図１１（ａ）の場合および図１１（ｂ）の場合の双方において、磁気センサ６７の中心位置からの距離を示している。また、図１１（ａ）および図１１（ｂ）では距離の数値を表していないが、図１１（ａ）の距離尺度と図１１（ｂ）に示す距離尺度は同程度である。図１１から、本体１３０のＹ方向に沿う方向に対する磁気センサ６７の検出距離に比べて、本体１３０のＸ方向に対する磁気センサ６７の検出距離の方が長いことがわかる。すなわち、磁気センサ６７は、Ｘ方向に沿う方向に広い（長い）検出範囲を有している。
【００５３】
図１２は、弾球遊技機１の電気的構成を示すブロック図である。弾球遊技機１は、遊技の動作制御を司る主制御基板１６１と、この主制御基板１６１に、当該主制御基板１６１からの信号を入力可能にそれぞれ接続された演出制御基板１６２および外部出力端子基板１６３とを備えている。また、演出制御基板１６２には、枠中継基板１６４および液晶制御基板１６５が、それぞれ当該演出制御基板１６２からの信号を入力可能に接続されている。制御基板１６１，１６２，１６５には、たとえばマイクロコンピュータが実装されている。
【００５４】
主制御基板１６１には、普図ゲート２５への遊技球の通過を検出する普図ゲート通過センサ１７０、第１特図始動口１７への遊技球の入球を検出する第１特図始動口入球センサ１７１、第２特図始動口１８への遊技球の入球を検出する第２特図始動口入球センサ１７２、大入賞口２４への遊技球の入球を検出する大入賞口入球センサ１７３、第１入賞検出スイッチ３６、第２入賞検出スイッチ３７、第３入賞検出スイッチ３８および磁気センサ６７からの出力信号がそれぞれ入力されている。
【００５５】
主制御基板１６１には、大入賞口開閉役物２０および電動チューリップ役物１９などが、制御対象として接続されている。また、液晶制御基板１６５には、液晶表示ユニット１５が制御対象として接続されている。
主制御基板１６１には、たとえば、コマンド中継基板（図示しない）および演出インターフェイス基板（図示しない）を介して演出制御基板１６２が接続されている。主制御基板１６１から出力された制御コマンドは、コマンド中継基板および演出インターフェイス基板をそれぞれ介して演出制御基板１６２に与えられる。
【００５６】
演出制御基板１６２は、演出インターフェイス基板を介して液晶制御基板１６５および枠中継基板１６４にそれぞれ接続されている。演出制御基板１６２は、主制御基板１６１からの制御コマンドに基づいて液晶表示ユニット１５の具体的な演出内容を決定し、その演出内容が記された制御コマンドを液晶制御基板１６５に送信する。演出制御基板１６２から出力される制御コマンドは演出インターフェイス基板を介して液晶制御基板１６５に与えられる。液晶制御基板１６５は、演出制御基板１６２から送出される制御コマンド（この場合液晶制御用のコマンド）に基づいて液晶表示ユニット１５の表示を制御する。
【００５７】
また、演出制御基板１６２は、主制御基板１６１からの制御コマンドに基づいて、枠中継基板１６４に接続されたランプユニット２７の点灯（点滅）／消灯制御やスピーカ２８の音声出力制御をそれぞれ行う。
外部出力端子基板１６３は、弾球遊技機１が設置される遊技店の店舗コンピュータに対し、所定の信号を出力するためのものである。
【００５８】
磁気センサ６７がゴト行為を検出した場合、主制御基板１６１は、異常表示を行うべき旨の制御コマンドを演出制御基板１６２に送信する。かかる制御コマンドを演出制御基板１６２から受信した液晶制御基板１６５は、液晶表示ユニット１５に「不正がされています」など不正がある旨のメッセージを表示する。また、演出制御基板１６２は、ランプユニット２７を所定のエラー態様で点灯制御させるとともに、スピーカ２８から警告音を出力させる。さらに、主制御基板１６１は、外部出力端子基板１６３を通して店舗コンピュータ（図示しない）に、不正があった旨の出力を行う。
【００５９】
以上によりこの実施形態によれば、ゴト行為を検出するための磁気センサ６７が、飾り役物６５内に収容保持される。そのため、磁気センサ６７を、遊技者から視認できずかつ普通入賞口２１〜２３に近い位置に配置することができる。これにより、普通入賞口２１〜２３に関して行われる磁石によるゴト行為を精度良く検出することができる。
また、３連入賞口を有し、磁気センサ６７が搭載された入賞口ユニット３０と、４連入賞口を有し、磁気センサ６７が非搭載の入賞口ユニットとの間で、前ケース体５０（前面板５１および外周壁５２）や後ろケース体８０を共通化することが可能である。一般的に、前ケース体５０は機種専用の部品として取り扱われるので、前ケース体５０の共通化のニーズは少ない。しかしながら、その場合であっても、後ろケース体８０を共通化できる利点はある。これにより、コストアップを抑制しつつ、普通入賞口２１〜２３に対するゴト行為を精度良く検出することができる。
【００６０】
また、３連入賞口を有し、磁気センサ６７が搭載された入賞口ユニットのバリエーションとして、前述した入賞口ユニット３０とは磁気センサ６７（飾り役物６５）の配置位置が異なる入賞口ユニットが考えられる。かかる入賞口ユニットでは、前面板５１における第１普通入賞口役物３１の配設位置、第２普通入賞口役物３２の配設位置または第３普通入賞口役物３３の配設位置のいずれかに磁気センサ６７が配設される。この場合、かかるバリエーションの入賞口ユニットと入賞口ユニット３０との間で、前ケース体５０や後ろケース体８０を共通化することができる。
【００６１】
また、磁気センサ６７の本体１３０の長手方向（Ｘ方向に沿う方向）が、複数の普通入賞口２１〜２３および飾り役物６５の配列方向（基準線Ｌに沿う方向）と一致している。磁気センサ６７は、本体１３０の長手方向に対する検出範囲が良好である。そのため、各普通入賞口２１，２２，２３に対するゴト行為を、良好に検出することができる。
以上、この発明の一実施形態について説明したが、この発明は他の形態でも実施することができる。
【００６２】
たとえば、前述の実施形態では、第１普通入賞口役物３１（普通入賞口役物３１〜３３）と飾り役物６５と間で前面板５１の固定のための構成は互いに共通しているとして説明したが、異なる機種で前ケース体５０を共通化しない場合は、かかる構成を共通にする必要はない。この場合であっても、後ろケース体８０を共通化することができ、これにより、コストアップを抑制することができる。
【００６３】
また、磁気センサ６７によるゴト行為の検出の際に、液晶表示ユニット１５での表示、スピーカ２８による警告音出力、ランプユニット２７のエラー点灯および店舗コンピュータへの出力の全部を実行する必要する必要はなく、このうちの少なくとも１つが実行されればよい。
また、不正検出センサとして、磁気センサ６７に代えて、電波センサや振動センサを採用してもよい。
【００６４】
また、磁気センサ６７は入賞口ユニットに複数個配設することもできる。具体的には、前述した入賞口ユニット３０の入賞口役物３１，３２，３３の少なくとも１つに代えて飾り役物６５を配設し、この飾り役物６５内に磁気センサ６７を収容配置することにより、２つの磁気センサ６７を有する入賞口ユニットや３つの磁気センサ６７を有する入賞口ユニットを実現することができる。より詳しく言えば、２連入賞口を有し、２つの磁気センサ６７が搭載された入賞口ユニットや、１つの入賞口を有し、３つの磁気センサ６７が搭載された入賞口ユニットを実現することができる。かかる場合、複数の不正検出センサとして、たとえば、磁気センサ、電波センサおよび振動センサのうち２種以上の不正検出センサを組み合わせることもできる。
【００６５】
ベース部材として前面板５１を採用したが、板状のものに限られない。
入賞口ユニットは入賞口を３個備える構成でなく、入賞口を１個または２個備えた構成であってもよいし、入賞口を４個以上備える構成であってもよい。また、入賞口ユニットに備えられる入賞口は、普通入賞口２１〜２３に限られず、特図始動口１７，１８や大入賞口２４を含むものであってもよい。
【００６６】
また、入賞口を複数個設ける場合には、複数の入賞口役物と飾り役物６５とは前述のように一列に並んでいることが望ましい。かかる場合、一の入賞口役物と他の入賞口役物との間に飾り役物が配置されていてもよいし、複数の入賞口役物が一列に並んだ端に、飾り役物が配置されていてもよい。
その他、特許請求の範囲に記載された事項の範囲で種々の設計変更を施すことが可能である。
【符号の説明】
【００６７】
１  弾球遊技機
５  遊技盤
２１  第１普通入賞口（入賞口）
２２  第２普通入賞口（入賞口）
２３  第３普通入賞口（入賞口）
３０  普通入賞口ユニット（入賞口ユニット）
３１  第１普通入賞口役物（入賞口役物）
３２  第２普通入賞口役物（入賞口役物）
３３  第３普通入賞口役物（入賞口役物）
５１  前面板（ベース部材）
６５  飾り役物
６７  磁気センサ（不正検出センサ）
８０  後ろケース体（後ろ部材）
【図１】
2012040305.tif 000003
【図２】
2012040305.tif 000004
【図３】
2012040305.tif 000005
【図４】
2012040305.tif 000006
【図５】
2012040305.tif 000007
【図６】
2012040305.tif 000008
【図７】
2012040305.tif 000009
【図８】
2012040305.tif 000010
【図９】
2012040305.tif 000011
【図１０】
2012040305.tif 000012
【図１１】
2012040305.tif 000013
【図１２】
2012040305.tif 000014